(57)【特許請求の範囲】
【請求項１】
底板１と、底板１の前側にて上方向に立ち上がる前面板２と、前面板２の後側にて底板１より上方向に立ち上がる背板３と、底板１の下面にて陳列棚Ｙを挟んで固定可能な固定部材４とを有し、底板１を陳列棚Ｙに設置し、前面板２と背板３の間に物品Ｘを載置して陳列する陳列装置において、
底板１には、内側に係合部を有する貫通状の係合孔９が前後方向に少なくとも２つ以上設けられ、
背板３には、その底面部１２に、底板１の係合孔９に上側から挿通でき、係合孔９の係合部に係合可能な係合機構を有する係合突起１４が設けられ、
固定部材４は、上面板１７と、下面板１８と、上面板１７と下面板１８とを正面で繋ぐ正面板１９からなる断面コ字状で、上面板１７と下面板１８とで陳列棚Ｙを挟んで外嵌装されて固定可能であり、底板１の係合孔９に下側又は上側から挿通でき、係合孔９の係合部に係合可能な係合機構を有する係合突起２０を上面板１７に有したことを特徴とする陳列装置。
【発明の詳細な説明】
【技術分野】
【０００１】
この発明は、レコード屋、本屋、レンタル店などで、ＣＤ、ＤＶＤ、ビデオテープ、書籍等の商品やレンタル品を陳列するための陳列装置に関し、特に、ケース入りＣＤ、ＤＶＤ、ビデオテープ、書籍等を表面や表紙を正面側に向けて平置き状態で陳列するための陳列装置に関する。
【背景技術】
【０００２】
レコード屋や本屋などで、パッケージ入りＣＤやＤＶＤ、ブルーレイディスク、ビデオテープ、書籍等の商品、或いはレンタル店にてレンタルケースに入ったＣＤ、ＤＶＤ、ブルーレイディスク、ビデオテープ等の矩形状のレンタル対象物品を陳列するには、通常、タイトル名の入った背表紙を表に向けて並べているが、購買者や需用者にアピールするように、これらの商品、物品の面積の広い主面側（表面側、書籍では表表紙）を正面にして立てかけて陳列することが行われている。
【０００３】
商品や物品の主面側を正面にして陳列するための陳列装置は種々提案されており、例えば、底面支持板の前方には正面支持板を設け、底面支持板の後方には前後にスライド可能な背面支持板を立ち上げて、正面支持板と背面支持板の間で物品を支えるものがあり、また、それに類似する構造のものも多数提案されている（例えば、特許文献１、特許文献２参照）。
【先行技術文献】
【特許文献】
【０００４】
【特許文献１】特開２００６−２５６号公報
【特許文献２】特許第３６０２４９０号公報
【発明の概要】
【発明が解決しようとする課題】
【０００５】
これら特許文献１や特許文献２のような陳列台や陳列用什器（以下、陳列装置という）は、通常、棚の上に固定されて使用されており、その固定手段としては、ガムテープやセロテープ（登録商標）、又は接着剤や両面接着テープを用いて、上にこれら陳列装置を直接貼り付けて固定している。
【０００６】
しかしながら、ガムテープやセロテープ（登録商標）を用いた場合、これらのガムテープやセロテープ（登録商標）が見えてしまい、見栄えが悪く、顧客に対して印象が悪くなり、一方、両面接着テープや接着剤を用いてこれらが見えない状態で固定することもできるが、陳列装置を撤去したり移動したりする際、これらテープや接着剤が棚や陳列装置に残り、これらテープや接着剤の除去作業が面倒となる。
【０００７】
また、これらガムテープ、セロテープ（登録商標）、両面接着テープ、接着剤を用いたり、或いはネジ止めするといった場合でも、固定作業に手間がかかるという問題があった。
【０００８】
特許文献２の場合、装置の下部に吸盤を取り付けてあり、この吸盤により棚に簡単に固定でき、また取り外し作業も簡単にできるのであるが、棚板の材質によっては吸盤が吸着せず固定できないという問題があった。
【０００９】
また、近年、レコード店や本屋、あるいはレンタル店において、特に売り出したい商品やレンタル品については、顧客によりアピールできるように、物品の主面側を正面にして立てかけて陳列するのみならず、より顧客へ近づけて陳列することが求められており、そのためには、棚上に陳列するだけでは不十分で、棚より外側（正面側）に物品を陳列できるようにすることが要求されている。
【００１０】
また、店内に一旦導入した棚等の什器は頻繁に入れ替えるものではなく、物品の収容容量は増加できないが、特に小さな棚を入れている店の場合、棚を入れ替えずにより物品を収納・陳列できるようにすることが求められてきている。
【００１１】
そこでこの発明は、棚より外側に物品を陳列することで、顧客に物品をよりアピールすることができると共に、棚への取り付けと取り外し作業が容易であり、撤去後もテープや接着剤が残らず、更に、棚の収納容量も増やすことができる陳列装置を提供することを課題とする。
【課題を解決するための手段】
【００１２】
上記のような課題を解決するため、この発明は、底板と、底板の前側にて上方向に立ち上がる前面板と、前面板の後側にて底板より上方向に立ち上がる背板と、底板の下面にて陳列棚を挟んで固定可能な固定部材とを有し、底板を陳列棚に設置し、前面板と背板の間に物品を載置して陳列する陳列装置において、底板には、内側に係合部を有する貫通状の係合孔が前後方向に少なくとも２つ以上設けられ、背板には、その底面部に、底板の係合孔に上側から挿通でき、係合孔の係合部に係合可能な係合機構を有する係合突起が設けられ、固定部材は、上面板と、下面板と、上面板と下面板とを正面で繋ぐ正面板からなる断面コ字状で、上面板と下面板とで陳列棚Ｙを挟んで外嵌装されて固定可能であり、底板の係合孔に下側又は上側から挿通でき、係合孔の係合部に係合可能な係合機構を有する係合突起を上面板に有した構成を採用したものである。
【発明の効果】
【００１４】
以上のように、この発明の陳列装置によると、固定部材を陳列棚を挟んで外嵌装することで固定でき、従来のテープ類や接着剤を用いたものに比べて、取り付け作業が容易であり、また、撤去後もテープや接着剤を除去する作業が必要が無いので、設置及び撤去作業の時間が短縮でき、これらの作業コストを低減できる。
【００１５】
また、固定方法が棚板への外嵌装なので、吸盤のように使用される棚の材質に影響を受けずに種々の材質の棚板に取り付け可能であり、また、棚板に取り付ける固定部材は着脱自在であるので、棚板の入れ替えにより棚板の厚みが変わっても、棚板の厚みに合わせた固定部材のみ別途用意すれば、陳列装置の本体はそのまま流用できる。
【００１６】
更に、固定部材の取付位置を底板の後側にすることで、底板を陳列棚から突出させて固定することができるので、顧客は陳列物品がより身近に感じられ、手に取るのも容易となり、陳列物品をアピールすることができる。
【００１７】
また、通常は商品を正面に向けて展示すると、背表紙を向けて展示するのに比較して何倍ものスペースが必要となるが、本発明の陳列装置を用いて棚からせり出して商品展示を行うと、その後方部分に空きスペースが生まれ、さらに数点の商品をストックないし展示することができるようになる。
【００１８】
更に、底板に設けられた背板の取付用の貫通状の係合孔を利用して、別部材の固定部材を取り付けるので、底板に固定部材の取付のための別な固定機構を設けなくてもよく、従来とほぼ同様の低コストで製造することができると共に、通常、背板の位置を前後に変えるために係合孔は前後に複数箇所設けられているので、この固定部材も任意の係合孔を利用でき、棚板からの突出量を任意に調整することが可能となる。
【００１９】
また、底板の貫通状の係合孔に対して取り付けるので、固定部材を天地を入れ替えて、下向きになった係合突起を底板の係合孔の上から取り付けることで、底板を棚板の平面より下の位置に取り付けることができ、陳列装置の取付位置の上下方向の調整が可能となる。
【図面の簡単な説明】
【００２０】
【図１】図１は、この発明の陳列装置の斜視図である。
【図２】図２は、底板を斜め上から見た斜視図である。
【図３】図３は、底板を斜め下から見た斜視図である。
【図４】図４は、背板の正面図である。
【図５】図５は、背板の底面図である。
【図６】図６は、固定部材の斜視図である。
【図７】図７は、固定部材の平面図である。
【図８】図８は、この発明の陳列装置の組立図である。
【図９】図９は、この発明の陳列装置の使用状態を示す側面断面図である。
【図１０】図１０は、この発明の陳列装置の使用状態の他の例を示す斜視図である。
【図１１】図１１は、この発明の陳列装置の使用状態の他の例を示す側面断面図である。
【図１２】図１２は、この発明の陳列装置の使用状態の他の例を示す側面断面図である。
【発明を実施するための形態】
【００２１】
以下、この発明の陳列装置を添付図面を参考にして説明する。
図１は、この発明の陳列装置の標準的な態様を示す斜視図である。
【００２２】
陳列装置は、平面に置かれた四角形や長方形の形状の底板１と、底板１の前方辺縁付近から斜め後方に立ち上がる長方形の前面板２と、底板１の後方から垂直方向に立ち上がり前記前面板２より高さのある長方形となった背板３と、底板１の後方下面に接続された、断面コ字状（図６参照）の固定部材４とからなる。
【００２３】
そして、底板１上の前面板２と背板３の間に、ＣＤ、ＤＶＤ、ブルーレイディスク、ビデオテープ、書籍等の商品やレンタル対象物品などの物品Ｘを、主面（面積の広い表面側）を正面に向けて載置することで物品Ｘを陳列する。
【００２４】
この陳列の際、物品Ｘの背面が背板３の上端辺に当接して支えられ、下端は前面板２付近にあり、物品Ｘは下端が前方、上端が後方となるように傾斜して固定・載置されることになり、物品Ｘの下端の前方への滑り出しによる陳列装置からの離脱・落下は、前面板２によって阻止される。
【００２５】
陳列装置の構成部材となるこれら底板１、前面板２、背板３、固定部材４の材料は特に限定されないが、通常の使用に耐える剛性や靱性を有する合成樹脂で各構成部材を作成するのが一般的である。
【００２６】
また、その色彩についても特に限定されず、透明な合成樹脂の場合、その素材そのままに透明としても良く、また、色彩や模様等のデザインを施すのも自由である。
【００２７】
なお、前面板２は透明にしておき、前面板２の後面側の四隅や下方に支持爪５を設けることで、前面板２の全体と支持爪５との間に商品説明、値段、ＰＯＰ等の紙を挟み込むようにすることもできる。
【００２８】
一方、前面板２を板状体の二重構造にしてその間にＰＯＰ等を挟むようにしてもよいし、着色等の不透明にしても、支持爪５を前面板２の前面側に設けて、ＰＯＰ等を前面板２の前側にて支持するようにしてもよい。
【００２９】
また、前面板２、背板３、固定部材４の各構成部材は、底板１に対して着脱自在となるようになっており、使用に際して組み立て可能であり、使用後は各部を分解して容積を小さくして保管できるようになっている。
【００３０】
図２及び図３は底板１を示す斜視図であり、図２は斜め上から見たもの、図３は斜め下から見たものである。
【００３１】
底板１の前方辺の上面には、辺縁に沿って複数の取付溝６が設けられており、この取付溝６に対して、前面板２の下端に設けてある取付片７（図８参照）を嵌め込むことで、底板１に対して前面板２を着脱自在に固定できるようになっている。
【００３２】
取付溝６の後方には、底板１を成形する際に左右方向に沿って上方に断面三角形状に盛り上がり成形された支持凸部８が設けられており、この支持凸部８は、図１で示した斜めに載置された物品Ｘに対し、その下面を支えると共に、物品Ｘの下端の前方への繰り出しを阻止して物品Ｘを定位置に保持する役目を持つ。
【００３３】
底板１の支持凸部８の後方には、複数の係合孔９が底板１の上面から下面にかけて貫通状に設けられており、左右方向に３つの係合孔９が並んで一組となり、この係合孔９の組が前後方向に４組並んで設けられており、係合孔９は合計１２個となっている。
【００３４】
各係合孔９は、左右方向に長い長孔状であり、この係合孔９の左右方向両端部を除く部分には、前後方向（長孔の幅方向内側）に突出した係合片１０が設けられ、この係合片１０は、厚みが底板１の約半分であり、また、この係合片１０の突出形状により、各係合孔９は、上下から見たとき、両端が円形状の円形孔９Ａで、両円形孔９Ａがその直径より係合片１０の両突出分だけ細幅となった直線状の細幅溝９Ｂで繋がれている形状となっている。
【００３５】
また底板１の左右両辺において、係合孔９が３つ並んだ左右方向延長上には、内側に向けて小さな凹部を設けた係止凹部１１が設けられておいる。
【００３６】
図４は背板３の正面図、図５は背板３の底面図で、共に底板１に取り付けた状態を示すものであり、この背板３は、比較的細幅の底面部１２と、この底面部１２から垂直に立ち上がる四角形の壁面部１３とからなり、底面部１２の下方には、３つの係合突起１４が設けられている。
【００３７】
各係合突起１４は、円形状の円盤部１４Ａと、この円盤部１４Ａと底面部１２とを繋ぐ直径が円盤部１４Ａより小さい円柱部１４Ｂと、同じく円盤部１４Ａと底面部１２とを繋ぎ円柱部１４Ｂから左右方向に延びて円盤部１４Ａの端部まで達する補強壁１４Ｃとからなっており、円盤部１４Ａと底面部１２とに挟まれ、円柱部１４Ｂと補強壁１４Ｃが無い空間が係合溝１５となる。
【００３８】
各円盤部１４Ａは、前記底板１に設けられた係合孔９の円形孔９Ａを通過可能なように円形孔９Ａの大きさを超えない範囲でほぼ同じ大きさとなっており、また、各円柱部１４Ｂの直径は、同じく係合孔９の細幅溝９Ｂに嵌り込めるように細幅溝９Ｂの幅を超えない範囲でほぼ同じ大きさとなっている。
【００３９】
図７に示す取付状態では、底板１の係合孔９に設けられた係合片１０が、背板３の係合突起１４に設けられた係合溝１５に入り込み、係合突起１４の円柱部１４Ｂが両側係合片１０の中央付近にて挟まれることで、底板１に対して背板３が固定されている。
【００４０】
なお、係合突起１４の補強壁１４Ｃの幅を両係合片１０の間隔（細幅溝９Ｂの幅）とほぼ等しく（円柱部１４Ｂの直径と等しく）して円柱部１４Ｂを無くすことも可能であるが、図７のような円柱部１４Ｂがあれば、係合片１０と点接触となるので、係合片１０に対する係合突起１４の取付時の摺動抵抗が小さくなり、取付作業が容易になる利点がある。
【００４１】
また、背板３の底面部１２の一方の端部には前記底板１に設けた係止凹部１１の凹部に嵌り込む大きさと形状を有する係止凸部１６が設けられており、底板１の係合孔９の円形孔９Ａに背板３の係合突起１４の円盤部１４Ａを入れて横方向にスライドさせ、底板１と背板３との位置関係が図４や図５で示す取付完了位置になった場合、係止凸部１６が係止凹部１１に嵌り込んでスライドを停止し、両者の固定関係を保持するようになっている。
【００４２】
図６は固定部材４の斜視図、図７は固定部材４を底板１に取り付けた際の平面図であり、この固定部材４は、通常使用時に上側となる長方形の上面板１７と、通常使用時に下側となる長方形の下面板１８と、この上面板１７と下面板１８を正面で接続する正面板１９とからなり、横方向から見た場合、コ字状の断面形状となっている。
【００４３】
上面板１７には、上方に突出する３つの係合突起２０が設けられており、各係合突起２０は、円形状の円盤部２０Ａと、この円盤部２０Ａと上面板１７とを繋ぐ直径が円盤部２０Ａより小さい円柱部２０Ｂと、同じく円盤部２０Ａと上面板１７とを繋ぎ円柱部２０Ｂから左右方向に延びて円盤部２０Ａの端部まで達する補強壁２０Ｃとからなっており、円盤部２０Ａと上面板１７とに挟まれ、円柱部２０Ｂと補強壁２０Ｃが無い空間が係合溝２１となる。
【００４４】
各円盤部２０Ａは、前記底板１に設けられた係合孔９の円形孔９Ａを通過可能なように円形孔９Ａの大きさを超えない範囲でほぼ同じ大きさとなっており、また、各円柱部２０Ｂの直径は、同じく係合孔９の細幅溝９Ｂに嵌り込めるように細幅溝９Ｂの幅を超えない範囲でほぼ同じ大きさとなっている。
【００４５】
図７に示す取付状態では、底板１の係合孔９に設けられた係合片１０が、固定部材４の係合突起２０に設けられた係合溝２１に入り込み、係合突起２０の円柱部２０Ｂが両側係合片１０の中央付近にて挟まれることで、底板１に対して固定部材４が固定されているが、これは図５で示した底板１に対する背板３の固定状態と相似するものである。
【００４６】
なお、係合突起２０の円柱部２０Ｂが係合片１０と点接触となり、係合片１０に対する係合突起２０の取付時の摺動抵抗が小さく取付作業が容易になる点も、背板３の係合突起１４の場合と同様である。
【００４７】
また、固定部材４を棚板に固定する際、棚板を上面板１７と下面板１８とで挟み込む固定力を高めるために、上面板１７の下面と下面板１８の上面（内側）には、左右方向に両端部に達する直線状の突起である突条２２が設けられている。
【００４８】
この固定部材４は、陳列棚に対して、陳列棚の最前部を固定部材４のコ字状となった開口部側を棚に向けて押し込み、上面板１７と下面板１８とで棚を挟み込んで固定する。
【００４９】
なお、棚板の幅は棚の種類によって変わってくるが、通常は店舗によって同じ棚を大量に仕入れるので、その棚の棚板の厚みに合わせた固定部材４を用意するようにし、棚が変われば、固定部材４のみを変更すれば取り付けることができる。
【００５０】
なお、固定部材４に図示していない適宜な手段、例えば、断面Ｌ字形の部材を２つ組み合わせて、一方を上面板１７、他方を下面板１８とし、正面で重なった部分を正面板１９とし、この部分に一方に上下方向の長孔、他方にネジを設けることで、上面板１７と下面板１８との間隔を調整可能とし、１つの固定部材４で種々の厚さの棚板に適用させるようにしてもよい。
【００５１】
また、固定部材４の形状・大きさについても実施形態のものに限定されず、上面板１７と下面板１８の前後方向の寸法を大きく取り、正面板１９の後側（内側）の適宜位置に棚板の端部に当接する壁面（図示せず）を設けることで、陳列装置の棚板からの突出量をより増大させるようにしてもよい。
【００５２】
図８は、この発明の陳列装置の組立図であり、まず底板１に対して固定部材４を取り付けるが、取付場所は、固定部材４の係合突起２０を、底板１に設けた３つの係合孔９を一組として前後方向に複数組並んだ係合孔９のいずれかの組に取り付けるかによって決定され、その係合孔９の選択により、陳列装置の棚からの突出寸法が決定されることになり、奥側の係合孔９に取り付けるほど陳列装置の突出寸法が増えることになる。
【００５３】
取付部分が決定した係合孔９への固定部材４の取付の際は、固定部材４の一点鎖線での矢印にて示すように、係合孔９の両円形孔９Ａのいずれか一方に対して、その下側から固定部材４の係合突起２０の円盤部２０Ａを挿通させ、円盤部２０Ａの挿通後、底板１に対して固定部材４を横方向にスライドさせ、図７の状態となった時点でスライドを止め、固定部材４の係合溝２１に底板１の係合片１０が嵌り込んだ状態にして両者を固定する。
【００５４】
次に、底板１に対して背板３を取り付けるが、取付場所は、背板３の係合突起１４を、底板１に設けた３つの係合孔９を一組として前後方向に複数組並んだ係合孔９の何れかの組に取り付けるかによって決定され、その係合孔９の選択により、この背板３と前面板２との間隔が決まるので、載置する物品Ｘの大きさや数に合わせて決定すればよい。
【００５５】
取付部分が決定した係合孔９への背板３の取付の際は、背板３の一点鎖線での矢印にて示すように、係合孔９の両円形孔９Ａのうち、背板３の係止凸部１６が底板１の外側の位置関係となる円形孔９Ａに対して、その上側から背板３の係合突起１４の円盤部１４Ａを挿通させ、円盤部１４Ａの挿通後、底板１に対して背板３を横方向にスライドさせ、図５の状態となった時点で背板３の係止凸部１６が底板１の係止凹部１１に嵌り込んでスライドが停止され、背板３の係合溝１５に底板１の係合片１０が嵌り込んだ状態にして両者が固定される。
【００５６】
次に、底板１の最前辺部にある取付溝６に、前面板２の下辺にある取付片７を差し込むことによって底板１に対して前面板２を取り付ける。
【００５７】
以上、底板１に対する固定部材４、背板３、前面板２の取付順序は上記説明の順序に限定されることはなく、また、背板３と固定部材４の取付位置も図示のものに限定されず、陳列装置の突出量や物品の大きさに応じて、底板１に設けられた何れの係合孔９の組を用いて取り付けてもよい。
【００５８】
底板１に対して固定部材４、背板３、前面板２を取り付けることによって完成した陳列装置は、固定部材４の後側に向けて開口している断面コ字状部分を陳列棚Ｙに前方から押し込んで固定することになる。
【００５９】
以上説明したように、この陳列装置は組立式となっており、使用しない時は分解してコンパクトに保管でき、更に、分解しても何度でも再組立による再使用が可能となる。
【００６０】
また、工具類及び鋲螺類（ネジやリベット等）又は接着剤、粘着テープなどを使用せずにこの発明の陳列装置を組み立てることができ、更に、陳列棚Ｙに固定する場合も、接着剤や粘着テープを使用せずに固定することが可能となる。
【００６１】
図９は、この発明の陳列装置の一般的な使用方法を示す側面断面図であり、この使用状態においては、陳列棚Ｙから陳列装置が外側（前面側）に向けて突出しており、この陳列装置に載置された物品Ｘもより前面側に陳列されることになり、購買者や需要者に対してアピール効果が向上する。
【００６２】
また、陳列棚Ｙへの取付手段は、固定部材４の上面板１７と下面板１８とで挟み込むだけで固定されているので、ガムテープや接着剤等が不要となり、設置作業が容易で作業が迅速に行えると共に、取り外し後のガムテープや接着剤等の廃棄、除去作業も不要となる。
【００６３】
図１０は、この発明の陳列装置を用いた他の使用方法の一例を示す斜視図であり、棚上に間隔をあけて２つ取り付けた陳列装置に対して、長尺状の物品Ｘ´を載置した状態を示すものである。なお、陳列装置を２つ用いなくとも、陳列装置自体を横長に形成しておいてもよい。
【００６４】
図１１は、この発明の陳列装置を用いた他の使用方法の一例を示す側面断面図であり、このように、固定部材４をあえて取り付けず、従来の陳列装置と同様に棚上に突出させずにガムテープ等を用いて固定させた状態を示しており、棚の場所によってはこのように突出させずに使用することもできる。
【００６５】
なお、図１１のような従来の陳列装置と同様の用途で用いる場合、固定部材４を用いても、固定部材４を底板１の最前列の係合孔９を用いて取り付けることで、底板１を陳列棚Ｙからあまり突出させずに陳列することも可能であり、その場合でも、ガムテープや接着剤等を用いずに固定でき、撤去後のガムテープや接着剤等の除去が不要になるといった利点はある。
【００６６】
図１２は、この発明の陳列装置を用いた他の使用方法の一例を示す側面断面図であり、陳列棚によっては上の段の陳列棚との間隔が狭くて、載置した物品Ｘの上部が上の陳列棚に当たってしまう場合の変形例である。
【００６７】
この場合、固定部材４の天地を逆にして上面板１７を下側に、下面板１８を上側にして、上面板１７から下向きに突出している係合突起２０を、底板１の係合孔９に対して上側から挿通させて取り付ける。
【００６８】
こうすることによって、陳列棚Ｙの平面より下側に底板１が来ることになり、物品Ｘの大きさに対して上側に余裕ができ、物品Ｘを手にとって取り出す際に、今まで上段の陳列棚に当たっていたのが当たらないようになり、取り出しや陳列の容易さ、又は、物品Ｘの破損の防止となる。
【００６９】
以上、この発明の種々の実施形態を説明したが、この発明の陳列装置は上記実施形態に限定されることなく、この発明の目的の範囲内にて適宜変更して実施することができ、例えば、各部の材質や形状、デザイン、色彩等は自由に決定でき、また、大きさも自由であり、物品Ｘも、ＣＤやＤＶＤ等の音楽や映像媒体や書籍に限られず、種々の商品、物品への展開が可能であり、更に、底板１の係合孔９の数や段数も実施形態であった左右に３つ並んだ係合孔９が一組で前後方向へ４組に限定されることなく自由に決定することができる。
【符号の説明】
【００７０】
Ｘ、Ｘ´  物品
Ｙ        陳列棚
１        底板
２        前面板
３        背板
４        固定部材
５        支持爪
６        取付溝
７        取付片
８        支持凸部
９        係合孔
９Ａ      円形孔
９Ｂ      細幅溝
１０      係合片
１１      係止凹部
１２      底面部
１３      壁面部
１４      係合突起
１４Ａ    円盤部
１４Ｂ    円柱部
１４Ｃ    補強壁
１５      係合溝
１６      係止凸部
１７      上面板
１８      下面板
１９      正面板
２０      係合突起
２０Ａ    円盤部
２０Ｂ    円柱部
２０Ｃ    補強壁
２１      係合溝
２２      突条
【図１】
0005511257.tif 000002
【図２】
0005511257.tif 000003
【図３】
0005511257.tif 000004
【図４】
0005511257.tif 000005
【図５】
0005511257.tif 000006
【図６】
0005511257.tif 000007
【図７】
0005511257.tif 000008
【図８】
0005511257.tif 000009
【図９】
0005511257.tif 000010
【図１０】
0005511257.tif 000011
【図１１】
0005511257.tif 000012
【図１２】
0005511257.tif 000013